(57)【要約】【課題】冷温空気を送る送風路内に結露水が生じても、前記冷温空気を室内へ放出する放出孔から結露水が室内に落下しない輻射式空調を提供することを目的とする。【解決手段】本発明の目的は、断熱性を有する上面板若しくは断熱性を有する天井部材で構成された上壁面１１と、金属板で形成され、底面及び側面２２を構成する輻射パネル２１と、を有し、上壁面１１及び輻射パネル２１は、温度調整された温調空気を送風するための送風路を形成し、上壁面１１には、前記温調空気を前記送風路に導入するための温調空気導入口１２が設けられ、輻射パネル２１の側面２２には、前記温調空気を前記送風路の外へ放出するための放出孔２２１が設けられていることを特徴とする輻射式空調装置としたことによって達成される。【選択図】図４
2018136041.tif 000002
【特許請求の範囲】
【請求項１】
断熱性を有する上面板若しくは断熱性を有する天井部材で構成された上壁面と、金属板で形成され、底面及び側面を構成する輻射パネルと、を有し、前記上壁面及び前記輻射パネルは、温度調整された温調空気を送風するための送風路を形成し、前記上壁面には、前記温調空気を前記送風路に導入するための温調空気導入口が設けられ、前記輻射パネルの側面には、前記温調空気を前記送風路の外へ放出するための放出孔が設けられていることを特徴とする輻射式空調装置。
【請求項２】
請求項１に記載の輻射式空調装置において、前記上壁面は矩形形状でなり、若しくは前記断熱性を有する天井部材に平行する２本の直線状の据付け具が固定されて、該据え付け具を平行な２辺とする矩形形状に囲まれた領域を前記上壁面となし、前記輻射パネルの両端部にそれぞれ形成されている前記側面の上端が、前記据付け具に１つずつ据付けられていることによって、前記上壁面と前記輻射パネルとが構成する前記送風路の両端に、同一断面形状の開口部がそれぞれ形成され、前記送風路の両端の開口部の中の少なくとも一方の開口部が、前記開口部の形状と同一形状をした蓋体で閉じられていることを特徴とする輻射式空調装置。
【請求項３】
請求項１に記載の輻射式空調装置において、前記断熱性を有する天井部材に平行する２本の直線状の据付け具が固定されて、該据え付け具を平行な２辺とする矩形形状に囲まれた領域を前記上壁面となし、前記輻射パネルの両端部にそれぞれ形成されている前記側面の上端が、前記据付け具に１つずつ据付けられていることによって、前記上壁面と前記輻射パネルとが構成する前記送風路の両端に、同一断面形状の開口部がそれぞれ形成され、前記断熱性を有する天井部材に、前記平行する２本の直線状の据付け具の一端に延設されるように、平行する２本の直線状の増設据付け具が固定されて、該増設据え付け具を平行な２辺とする矩形形状に囲まれた領域を増設上壁面となし、増設輻射パネルの両端部にそれぞれ形成されている側面の上端が、前記増設据付け具に１つずつ据付けられていることによって、前記増設上壁面と前記増設輻射パネルとが構成する増設送風路の両端に、同一断面形状の増設開口部がそれぞれ形成され、近接する前記開口部と前記増設開口部とが密閉連結されていることを特徴とする輻射式空調装置。
【請求項４】
請求項１、請求項２又は請求項３のいずれか１項に記載の輻射式空調装置において、前記送風路に面する前記輻射パネル内側には、前記送風路を２以上の送風空間に分割する金属製の仕切り板が設けられ、該仕切り板には、分割された前記送風空間同士の間で前記温調空気の流通を可能とする貫通孔が開けられていることを特徴とする輻射式空調装置。
【請求項５】
請求項１、請求項２、請求項３又は請求項４のいずれか１項に記載の輻射式空調装置において、前記上壁面と前記輻射パネルとの間には、前記温調空気を作るエアコンが空気を吸い込むための室内空気流通管が貫通していることを特徴とする輻射式空調装置。
【請求項６】
請求項１、請求項２、請求項３、請求項４又は請求項５のいずれか１項に記載の輻射式空調装置において、前記輻射パネルに珪藻土部材が塗布され、若しくは貼り付けられていることを特徴とする輻射式空調装置。
【請求項７】
請求項１、請求項２、請求項３、請求項４、請求項５又は請求項６のいずれか１項に記載の輻射式空調装置において、前記輻射パネル中央部は前記送風路外側の方へ膨らんでいることを特徴とする輻射式空調装置。
【請求項８】
請求項１、請求項２、請求項３、請求項４、請求項５、請求項６又は請求項７のいずれか１項に記載の輻射式空調装置において、前記輻射パネルの表面には２以上の凹又は凸若しくは凹凸が形成されていることを特徴とする輻射式空調装置。
【発明の詳細な説明】
【技術分野】
【０００１】
本発明は天井に備える輻射式空調装置に関する。
【背景技術】
【０００２】
エアコンは、その動作に伴って生じる冷風又は温風の吹き出しが直接当たって、人に不快を感じさせることがある。一方、熱媒体としての冷水や温水が輻射パネルを冷却若しくは加熱する空調装置がある。これは冷却されたパネルが遠赤外線を吸収し、又は加熱されたパネルが遠赤外線を放出することによって冷房と暖房を行うものである。しかし、これは冷水若しくは温水を循環させる設備が必要であるといった課題がある。また、人が快適さを感じるには遠赤外線による輻射熱だけでなく、人の肌に、若干の冷温空気が触れる必要があるといわれている。しかし、このような遠赤外線の吸収又は放出による空調装置では、直接肌に触れる冷温空気が発生しないという課題もある。
【０００３】
そこで、エアコンの作る冷温空気を熱媒体として、輻射パネルを冷却又は加熱しながら、その冷熱空気を室内へ放出する、輻射式空調装置が提案されている。たとえば、特許文献１に記載の輻射パネルユニットと輻射式空調装置は、天井から輻射パネルを懸架し、その輻射パネルと天井の間を冷温空気の送風路として用いている。輻射パネルには多数のスリット孔が設けられている。エアコンで作られた冷温空気は輻射パネルを冷却又は加熱しながら、そこに開いたスリット孔から室内に放出される。室内に放出された空気は再びエアコンに取り込まれて、冷却又は加熱される。
【先行技術文献】
【特許文献】
【０００４】
【特許文献１】特開２０１３−１９０１８３号公報
【発明の概要】
【発明が解決しようとする課題】
【０００５】
特許文献１に記載の輻射式空調装置は、室内に面した輻射パネルに多数のスリット孔が開いている。このため、該輻射パネルの上側に形成されている送風路内で結露が生じると、このスリット孔を通って、室内に結露水が落下する虞がある。
【０００６】
そこで、本発明の目的、すなわち解決しようとする技術的課題は、冷温空気を送る送風路内に結露水が生じても、前記冷温空気を室内へ放出する放出孔から結露水が室内に落下しない輻射式空調を提供することにある。
【課題を解決するための手段】
【０００７】
そこで、第１請求項に開示の構成を、断熱性を有する上面板若しくは断熱性を有する天井部材で構成された上壁面と、金属板で形成され、底面及び側面を構成する輻射パネルと、を有し、前記上壁面及び前記輻射パネルは、温度調整された温調空気を送風するための送風路を形成し、前記上壁面には、前記温調空気を前記送風路に導入するための温調空気導入口が設けられ、前記輻射パネルの側面には、前記温調空気を前記送風路の外へ放出するための放出孔が設けられていることを特徴とする輻射式空調装置としたことにより、上記課題を解決した。
【０００８】
また、請求項２に開示の構成を、請求項１に記載の輻射式空調装置において、前記上壁面は矩形形状でなり、若しくは前記断熱性を有する天井部材に平行する２本の直線状の据付け具が固定されて、該据え付け具を平行な２辺とする矩形形状に囲まれた領域を前記上壁面となし、前記輻射パネルの両端部にそれぞれ形成されている前記側面の上端が、前記据付け具に１つずつ据付けられていることによって、前記上壁面と前記輻射パネルとが構成する前記送風路の両端に、同一断面形状の開口部がそれぞれ形成され、前記送風路の両端の開口部の中の少なくとも一方の開口部が、前記開口部の形状と同一形状をした蓋体で閉じられていることを特徴とする輻射式空調装置としたことにより上記課題を解決した。
【０００９】
請求項３に開示の構成を、請求項１に記載の輻射式空調装置において、前記断熱性を有する天井部材に平行する２本の直線状の据付け具が固定されて、該据え付け具を平行な２辺とする矩形形状に囲まれた領域を前記上壁面となし、前記輻射パネルの両端部にそれぞれ形成されている前記側面の上端が、前記据付け具に１つずつ据付けられていることによって、前記上壁面と前記輻射パネルとが構成する前記送風路の両端に、同一断面形状の開口部がそれぞれ形成され、前記断熱性を有する天井部材に、前記平行する２本の直線状の据付け具の一端に延設されるように、平行する２本の直線状の増設据付け具が固定されて、該増設据え付け具を平行な２辺とする矩形形状に囲まれた領域を増設上壁面となし、増設輻射パネルの両端部にそれぞれ形成されている側面の上端が、前記増設据付け具に１つずつ据付けられていることによって、前記増設上壁面と前記増設輻射パネルとが構成する増設送風路の両端に、同一断面形状の増設開口部がそれぞれ形成され、近接する前記開口部と前記増設開口部とが密閉連結されていることを特徴とする輻射式空調装置としたことにより、上記課題を解決した。
【００１０】
請求項４に開示の構成を、請求項１、請求項２又は請求項３のいずれか１項に記載の輻射式空調装置において、前記送風路に面する前記輻射パネル内側には、前記送風路を２以上の送風空間に分割する金属製の仕切り板が設けられ、該仕切り板には、分割された前記送風空間同士の間で前記温調空気の流通を可能とする貫通孔が開けられていることを特徴とする輻射式空調装置としたことにより、上記課題を解決した。
【００１１】
請求項５に開示の構成を、請求項１、請求項２、請求項３又は請求項４のいずれか１項に記載の輻射式空調装置において、前記上壁面と前記輻射パネルとの間には、前記温調空気を作るエアコンが空気を吸い込むための室内空気流通管が貫通していることを特徴とする輻射式空調装置としたことにより、上記課題を解決した。
【００１２】
また、請求項６に開示の構成を、請求項１、請求項２、請求項３、請求項４又は請求項５のいずれか１項に記載の輻射式空調装置において、前記輻射パネルに珪藻土部材が塗布され、若しくは貼り付けられていることを特徴とする輻射式空調装置としたことにより、上記課題を解決した。
【００１３】
請求項７に開示の構成を、請求項１、請求項２、請求項３、請求項４、請求項５又は請求項６のいずれか１項に記載の輻射式空調装置において、前記輻射パネル中央部は前記送風路外側の方へ膨らんでいることを特徴とする輻射式空調装置としたことにより、上記課題を解決した。
【００１４】
請求項８に開示の構成を、請求項１、請求項２、請求項３、請求項４、請求項５、請求項６又は請求項７のいずれか１項に記載の輻射式空調装置において、前記輻射パネルの表面には２以上の凹又は凸若しくは凹凸が形成されていることを特徴とする輻射式空調装置としたことにより、上記課題を解決した。
【発明の効果】
【００１５】
請求項１に開示の構成では、輻射パネルから立ち上がった側面に放出孔が設けられているために、送風路内に結露水が生じた場合でも、前記放出孔から結露水が室内へ落下しない効果がある。請求項２と請求項３に開示の構成では、送風路の断面は両端で同一形状であり、同一形状をした１種類の蓋体で開口部を閉鎖することができる。あるいは、同一形状の断面を有する送風路を形成する輻射パネルを増設することもでき、拡張性に優れるという効果がある。
【００１６】
請求項４に開示の構成では、貫通孔のある仕切り板に温調空気が頻繁に当たって乱流を起こし、前記温調空間と輻射パネルの間で熱交換が効率的に行われる効果がある。請求項５に開示の構成では、天井部材上に設けたエアコンが室内の空気を吸込むための管を、室内から目立たないように設置することができるという効果がある。
【００１７】
請求項６に開示の構成では、送風路の外側、すなわち、送風路に面していない側の輻射パネル面に結露が生じる場合でも、この輻射パネル面を覆う、珪藻土部材が水分を吸湿するので、結露水が室内に落下しないという効果がある。請求項７に開示の構成では、輻射パネルの中央部が送風路外側へやや膨らんでいるために、遠赤外線等の輻射線が放射状に拡散し、受け側の範囲を広げる効果がある。請求項８に開示の構成では、輻射パネル表面に凹凸を設けることで表面積が増し、輻射効率が上がるという効果がある。
【図面の簡単な説明】
【００１８】
【図１】は本発明の第３実施形態に係る輻射式空調装置を示す図であって、（Ａ）は同輻射式空調装置の正面図、（Ｂ１）は同輻射式空調装置の底面図、（Ｂ２）は（Ａ）のＹ1−Ｙ1矢視図、（Ｃ）は天井に設置された同輻射式空調装置を下から見上げた斜視図である。
【図２】は本発明の第３実施形態に係る輻射式空調装置を示す図であって、（Ａ）は同輻射式空調装置を天井から外して下から見上げた分解斜視図、（Ｂ）は同輻射式空調装置を天井から外して上から見下ろした分解斜視図である。
【図３】は本発明の第３実施形態に係る輻射式空調装置を示す図であって、（Ａ）は上壁面を省いた同輻射式空調装置の輻射パネル内部の分解斜視図、（Ｂ）は（Ａ）のＸ３−Ｘ３矢視端面図、（Ｃ）は（Ａ）のＸ４−Ｘ４矢視端面図、（Ｄ）は（Ａ）のＸ５−Ｘ５矢視端面図である。
【図４】は本発明の第１実施形態に係る輻射式空調装置を示す図であって、（Ａ）は天井に設置された同輻射式空調装置を下から見上げた斜視図、（Ｂ）はα領域拡大図、（Ｃ）はβ領域拡大図、（Ｄ）は同輻射式空調装置を天井から外した図、（Ｅ）は（Ａ）のＸ１−Ｘ１矢視端面図である。
【図５】は本発明の第２実施形態に係る輻射式空調装置を示す図であって、（Ａ）は天井に設置された同輻射式空調装置したから見上げた斜視図、（Ｂ）は同輻射式空調装置を天井から外した図、（Ｃ）は（Ａ）のＸ２−Ｘ２矢視端面図、（Ｄ）はもう１つの輻射パネルの例を示すＸ２−Ｘ２矢視端面図である。
【図６】は本発明の第３実施形態に係る輻射式空調装置の輻射パネルを据付けるべき断熱性天井部材下面を見上げた図であって、（Ａ）は温調空気導入口と室内空気吸込み口及びこれに適合させた隔壁を示す図、（Ｂ）は他の形状の温調空気導入口と室内空気吸込み口及びこれに適合させた隔壁を示す図である。
【図７】は本発明に係る第４実施形態に係る輻射式空調装置を示す図であって、（Ａ）は天井に設置された同輻射式空調装置したから見上げた斜視図、（Ｂ）は（Ａ）のγ領域拡大図である。
【発明を実施するための形態】
【００１９】
［第１実施形態］
図４に基づいて、本発明の第１実施形態に係る輻射式空調装置Ａ１を説明する。輻射式空調装置Ａ１は、断熱部材で形成された天井部材に密着するように懸架して設置するものである。通常の天井部材の下面、すなわち、居住空間に面する側に断熱部材を貼り付け、この下に輻射式空調装置Ａ１を設置しても良い。すなわち、輻射式空調装置Ａ１の上壁面は断熱性を有する天井部材をそのまま利用したもの、あるいは断熱性のある部材で上面が形成されている構成である。
【００２０】
輻射式空調装置Ａ１が据付けられている断熱性天井部材Ｃの一部が、該輻射式空調装置Ａ１の上壁面１１を形成している。断熱性天井部材Ｃには、上壁面１１を囲うように、直線状の据付け金具１１１及び１１２が、それぞれ平行に固定されている〔図４（Ｄ）〕。また、上壁面１１には、図示しないエアコンＡＣで温度調整された空気（以後、温調空気という。）を導入する温調空気導入口１２が設けられている〔図４（Ｄ）〕。図４（Ｄ）に示すように、上壁面１１とは、断熱性天井部材Ｃに平行する２本の直線状の据付け金具１１１を固定して、これらを平行な２辺とする矩形形状に囲んだ領域である。
【００２１】
輻射式空調装置Ａ１の底面２及び側面２２は金属板で形成された輻射パネル２１で構成されている。輻射パネル２１は、その両端に形成されている側面２２が断熱性天井部材Ｃに固定されている。側面２２は輻射パネル２１の両端をほぼ垂直に立ち上げることで形成されている。側面２２は、断熱性天井部材Ｃに固定されている据付け金具１１１に据付けボルト２２２でボルト締めされる。このボルト締めにより、輻射パネル２１が断熱性天井部材Ｃに懸架固定される。側面２２は、底面２と断熱性天井部材Ｃとの間を連結するものであって、底面２よりも高位置にある〔図４（Ａ）〕。
【００２２】
ここで、説明の便宜上、方向と向きを定める。両側面２２と２２とがそれぞれ、断熱性天井部材Ｃの下面に固定されている面上で、該断熱性天井部材Ｃと側面２２との接地面の長い方向をＹ方向と称することとする。そして、断熱性天井部材Ｃの下面上で、Ｙ方向と直交する方向を幅方向またはＸ方向と称することとする。また、断熱性天井部材Ｃに直交する方向を上下方向又はＺ方向と称し、下方を正の向きとする（図４参照）。
【００２３】
輻射パネル２１は例えば、アルミニウムといった金属で形成されている。図４において、輻射パネル２１のＸ方向両側は側面２２を介して断熱性天井部材Ｃに固定されている。このため、断熱性天井部材Ｃの一部である上壁面１１と輻射パネル２１とによって、Ｙ方向両端に開口のある空間が形成されている。そして、これらの開口は、蓋体２４で塞がれることができる。蓋体２４は、２つの蓋サイドパーツ２４１ａ及び２４１ｂと、蓋センターパーツ２４２からなる。蓋体２４は、Ｙ方向両端にある前記開口とほぼ同形状で、この開口を塞ぐのに適した形状である。
【００２４】
輻射式空調装置Ａ１の内部には、上壁面１１と、底面２及び側面２２を構成する輻射パネル２１とによって、送風路Ｄ（図示せず）が形成されている。送風路Ｄは温調空気を巡回させるための空間である。図４（Ｄ）の例では、輻射パネル２１の両端部にそれぞれ形成されている側面２２の上端が、据付け金具１１１に１つずつ据付けられていることによって、送風路Ｄが形成されている。
【００２５】
しかし、このままでは、据付け金具１１１が延びている方向、すなわちＹ方向の両端において、送風路Ｄには、同一断面形状の開口部がそれぞれ形成された状態である。前述の蓋体２４は前記開口部の形状と同一形状をした蓋体である。Ｙ方向の両端において形成されている前記２つの開口が、それぞれ蓋体２４で塞がれることにより、送風路Ｄは、輻射式空調装置Ａ１内部の閉じた空間となる。
【００２６】
しかし、送風路Ｄは密閉された空間ではない。側面には貫通孔である放出孔２２１が設けられている。上壁面１１に設けられた温調空気導入口１２から送風路Ｄ内に送り込まれた温調空気Ａｉｒ−Ａは、送風路Ｄを巡回した後に、これらの放出孔２２１を通じて、送風路Ｄの外へ放出される。すなわち、温調空気Ａｉｒ−Ａが放出孔２２１を通じて居住空間内へ放出される。また、２つの蓋サイドパーツ２４１ａ及び２４１ｂに放出孔２４３を設けることもできる。この場合には、これら放出孔２４３からも、送風路Ｄの外へ温調空気Ａｉｒ−Ａが放出されることとなる。
【００２７】
図４（Ｄ）と（Ｅ）に示されるように、輻射パネル２１の内側、すなわち送風路Ｄの側には、仕切り板２５ａと２５ｂが設けられている。Ｘ方向に並んで、Ｙ方向に延びる２つの仕切り板２５ａと２５ｂは、送風路Ｄを、Ｙ方向に延びる３つの送風空間Ｄａ、Ｄｂ及びＤｃに分割する。しかし、これらの仕切り板２５ａ及び２５ｂには、それぞれ流通口２５ａ１又は流通口２５ｂ１という、貫通孔が設けられている。このため、温調空気は３つの送風空間Ｄａ、Ｄｂ及びＤｃを自由に行き来することができる。
【００２８】
このように、送風路Ｄ内に行き来可能な仕切り板２５ａ及び２５ｂを設けることにより、温調空気Ａｉｒ−Ａの流れを乱して、該温調空気Ａｉｒ−Ａが輻射パネル２１に強く吹きつけるようにすることができる。このような構成を採ることにより、温調空気Ａｉｒ−Ａと輻射パネル２１との間で効率的に熱交換を行うことができる。
【００２９】
〈冷房時の動作〉
輻射式空調装置Ａ１で居住空間を冷房する場合には、エアコンＡＣにより冷却された温調空気Ａｉｒ−Ａを送風路Ｄへ導入する。冷却された温調空気Ａｉｒ−Ａは、送風路Ｄ内を巡回する間に輻射パネル２１との間で熱交換をする。熱交換により輻射パネル２１は冷却される。これと引き換えに温調空気Ａｉｒ−Ａ自体は若干暖められる。若干暖められた温調空気Ａｉｒ−Ａは放出孔２２１及び２４３を通じて居住空間内へ徐々に放出される。
【００３０】
居住空間において、天井下面に設置されている輻射パネル２１は温度が低くなっている。このため、輻射パネル２１から居住空間に居る人への遠赤外線の放射は小さく抑えられており、冷房効果を発揮する。また、放出孔２２１及び２４３を通じて居住空間内へ徐々に放出され温調空気が、空気の静かな揺らぎをもたらし、居住空間に居る人に快適さを感じさせる。
【００３１】
〈暖房時の動作〉
輻射式空調装置Ａ１で居住空間を暖房する場合には、エアコンＡＣにより加熱された温調空気Ａｉｒ−Ａを送風路Ｄへ導入する。加熱された温調空気Ａｉｒ−Ａは輻射パネル２１を加熱する。加熱された温調空気Ａｉｒ−Ａが輻射パネル２１に触れると、送風路Ｄ内部に結露水が生じることがある。このような場合でも、放出孔２２１及び２４３は、底面２よりも高い位置にあるので、この結露水が居住空間内に落下することが無い。
【００３２】
この温調空気Ａｉｒ−Ａは、送風路Ｄ内を巡回する間に輻射パネル２１との間で熱交換をする。熱交換により輻射パネル２１は加熱される。これと引き換えに、温調空気Ａｉｒ−Ａ自体は若干冷まされる。若干冷まされた温調空気Ａｉｒ−Ａは放出孔２２１及び２４３を通じて居住空間内へ徐々に放出される。加熱された輻射パネル２１から居住空間内に遠赤外線が照射される。これにより、居住空間内にいる人物は暖かさを感じる。更に、適度に冷めた状態で放出孔２２１及び２４３から放出される温調空気が静かな揺らぎを作り出し、居住空間内に快適な暖房を実現する。
【００３３】
また、図４（Ｅ）に示すように、輻射パネル２１の外側、すなわち、居住空間に向いている側に珪藻土部材２３を塗布したり、若しくは貼り付けたりしてもよい。珪藻土部材２３は水分を吸湿する部材である。この構成にすると、輻射式空調装置外面、すなわち、送風路に面していない輻射パネル面に結露が生じる場合でも、この輻射パネル面を覆う、珪藻土部材が水分を吸湿するので、結露水が室内に落下しないという効果がある。珪藻土部材には、例えば、珪藻土を使った壁紙である珪藻土クロスがある。
【００３４】
また、図４（Ｅ）に示すように、輻射パネル２１の外側、すなわち、居住空間に向いている側にやや膨らみを持たせた輻射パネル形状としてもよい。このような構成とすることで、遠赤外線が前記居住空間に向けて放射状に広がるので、前記遠赤外線の輻射を広い範囲で受けることができるようになる。更に、輻射パネル２１の表面には、後記するエンボス加工を施してもよい。このようにすると、輻射パネル２１表面の表面積を増大させることとなり、輻射パネルとしての輻射効率を向上させることとなる。
【００３５】
［第２実施形態］
次に、図５に基づいて、本発明の第２実施形態に係る輻射式空調装置Ａ２の説明をする。輻射式空調装置Ａ２は、上壁面１１Ｂに温調空気導入口１２が設けられ、該上壁面１１Ｂと輻射パネル２１Ｂ及び蓋体２４によって送風路Ｄ２（図示せず）が形成されている。そして、輻射パネル２１Ｂの両端であって、断熱性天井部材Ｃに固定されている部分には側面２２が形成されている。
【００３６】
この構成は第１実施形態に係る輻射式空調装置Ａ１の構成と同様である。更に第２実施形態に係る輻射式空調装置Ａ２では、室内空気流通管３というべきものが、上壁面１１Ｂと輻射パネル２１Ｂの間に貫通している。これは、輻射パネル２１Ｂの下に広がる居住空間の空気Ａｉｒ−Ｂを、上壁面に設けられた室内空気吸込み口１３から吸込んで、エアコンＡＣ〔図５（Ｂ）上部の破線〕へ送るための流通路である。
【００３７】
このような構成にすると、温調空気Ａｉｒ−Ａを作るエアコンＡＣを、輻射式空調装置Ａ２の真上の天井裏に設置するのに便利で、コンパクトにまとまったシステムを構築することができる。エアコンＡＣは室内空気流通管３を通じて居住空間の空気Ａｉｒ−Ｂを吸込む。そして、この空気Ａｉｒ−Ｂを温調空気として温調空気導入口１２として、送風路Ｄ２に送り込まれる。室内空気流通管３の、流通管内壁３１は送風路Ｄ２を構成する側壁も兼ねているので、温調空気Ａｉｒ−Ａが居住空間を循環する前に室内空気吸込み口１３から再び吸込まれてしまうことがない。
【００３８】
図５（Ｂ）は断熱性天井部材Ｃから輻射パネル２１Ｂを外した状態を見上げた斜視図である。輻射パネル２１Ｂの両端に形成されている側面２２は据付け金具１１１にボルト締めされる。蓋体２４は、輻射パネル２１Ｂと据付け金具１１２の間にはめ込まれる。断熱性天井部材Ｃに固定された据付け金具１１１及び１１２で囲まれた領域は上壁面１１Ｂを成している。上壁面１１Ｂには、温調空気導入口１２と室内空気吸込み口１３とが設けられている。
【００３９】
この上壁面１１Ｂを、室内空気流通管３と一体化した輻射パネル２１Ｂで覆うと、室内空気吸込み口１３からは居住空間の空気Ａｉｒ−Ｂが吸込まれ、温調空気導入口１２からは送風路Ｄ２に温調空気Ａｉｒ−Ａが送り込まれる。送風路Ｄ２に送り込まれた温調空気Ａｉｒ−Ａは輻射パネル２１Ｂと熱交換をした後、放出孔２２１及び２４３〔図５（Ａ）参照〕から居住空間へ放出される。すなわち、温調空気Ａｉｒ−Ａは送風路Ｄ２の外へ放出される。
【００４０】
輻射パネル２１Ｂの内側、すなわち送風路Ｄ２の側には、室内空気流通管３を挟んでＹ方向に延びる仕切り板２６ａと２６ｂとが設けられている。仕切り板２６ａと２６ｂ及び室内空気流通管３は、輻射パネル２１Ｃ２の内側に形成される送風路Ｄ２を、送風空間Ｄａ、Ｄｂ及び２つのＤｄに４分割する。室内空気流通管３に流通口は無く、２つの送風空間ＤｄとＤｄは隔離されている。
【００４１】
室内空気流通管３の内側は既に説明したように、居住空間の空気Ａｉｒ−Ｂに接している流通管内壁３１である。一方、仕切り板２６ａと２６ｂにはそれぞれ流通口２６ａ１と２６ｂ１が設けられていて、温調空気Ａｉｒ−Ａが行き来できるようになっている。図５（Ａ）に示されるように、分離されて存在する送風空間ＤａとＤｂの間を２つのＤｄが橋渡しをする環状構造になっている。
【００４２】
図５（Ｃ）は、（Ａ）のＸ２−Ｘ２矢視端面図である。断熱性天井部材Ｃ上に設置されたエアコンＡＣから供給される温調空気Ａｉｒ−Ａは温調空気導入口１２を通して、送風空間Ｄａ及びＤｂに導入される。ＤａとＤｂに導入された温調空気は、送風空間Ｄｃ１及びＤｃ２を通って送風路Ｄ２を巡回し、輻射パネル２１Ｂと熱交換をする。その後、温調空気Ａｉｒ−Ａは放出孔２２１及び２４３から居住空間へ放出される。
【００４３】
また、輻射パネル２１Ｂ２のように、表面に凹凸を設ける、いわゆるエンボス加工を施すことにより、表面積を増大させて輻射パネルとしての輻射効率を向上させることができる〔図５（Ｄ）参照〕。更に、エンボス加工するかしないかに関わらず、室内空気流通管３を、パンチング孔等で通気性を確保した流通管蓋３２で覆ってもよい〔図５（Ｄ）参照〕。
【００４４】
［第３実施形態］
次に、図１に基づいて、本発明の第３実施形態に係る輻射式空調装置Ａ３の説明をする。輻射式空調装置Ａ３は輻射パネル２１Ｃを有する。輻射パネル２１Ｃは３つの輻射パネル２１Ｃ１と、２１Ｃ２及び２１Ｃ３から成り、これらが断熱性天井部材Ｃに懸架固定された構成である。輻射パネル２１Ｃ２の上方には、断熱性天井部材Ｃを挟んでエアコンＡＣが設置されている。
【００４５】
そして、エアコンＡＣは室内空気吸込み口１３を通して居住空間の空気Ａｉｒ−Ｂを吸込んで、これを冷却又は加熱して温調空気Ａｉｒ−Ａとする〔図１（Ｃ）参照〕。そして、図示されない温調空気導入口１２を通して、その温調空気Ａｉｒ−Ａは後記する送風路Ｄ３（図示せず）に導入される。送風路Ｄ３に導入された温調空気Ａｉｒ−Ａは、輻射パネル２１Ｃ１と、２１Ｃ２及び２１Ｃ３と熱交換をした後、側面２２に設けられた放出孔２２１から居住空間へ放出される。更に、蓋体２４に放出孔２４３を設けてもよい。
【００４６】
輻射パネル２１Ｃ１と輻射パネル２１Ｃ２及び２１Ｃ３はＸ方向に沿って居住空間側へやや膨らんだ曲線を持つ曲面である。そして、エアコンＡＣの直下に位置する輻射パネル２１Ｃ２の中央には、貫通孔である室内空気流通管３の入口となる開口が設けられている。そして、その開口から断熱性天井部材Ｃまでの間は流通管内壁３１が連続しており、輻射式空調装置Ａ３の内部である送風路Ｄ３と居住空間とは隔てられている。
【００４７】
断熱性天井部材Ｃに据付けられた輻射式空調装置Ａ３を下から見上げると、室内空気流通管３を通して、上壁面１１Ｃに設けられた室内空気吸込み口１３を視認することができる〔図１（Ｂ１）及び（Ｃ）を参照〕。但し、室内空気流通管３の入口となる開口は、通気が確保された板、例えば、パンチングメタルで蓋をしてもよい。
【００４８】
図２（Ａ）は輻射式空調装置Ａ３が据付けられている断熱性天井部材Ｃから輻射パネル２１Ｃ１と輻射パネル２１Ｃ２及び２１Ｃ３を外した状態を下方から見上げた斜視図である。輻射パネル２１Ｃ１と輻射パネル２１Ｃ２及び２１Ｃ３はそれぞれ、Ｘ方向（幅方向ともいう。）の両端が上方へ立ち上がって側面２２を構成している。側面２２を、断熱性天井部材Ｃに固定の据付け金具１１１にボルト締めすることにより、輻射パネル２１Ｃ１と輻射パネル２１Ｃ２及び２１Ｃ３は断熱性天井部材Ｃに懸架固定される。
【００４９】
断熱性天井部材Ｃにおいて、これに固定された据付け金具１１１と１１２に囲まれた領域が、上壁面１１Ｃとなる。上壁面１１Ｃには、エアコンＡＣが居住空間の空気Ａｉｒ−Ｂを吸込むための室内空気吸込み口１３と、エアコンＡＣによる温調空気Ａｉｒ−Ａが吹出される温調空気導入口１２が設けられている。輻射パネル２１Ｃ２を断熱性天井部材Ｃに据付けると、室内空気吸込み口１３は室内空気流通管３の開口に納まる。よって、室内空気吸込み口１３は、該室内空気流通管３を通して居住空間の空気Ａｉｒ−Ｂに直に接触することとなる。
【００５０】
輻射パネル２１Ｃ１と輻射パネル２１Ｃ２及び２１Ｃ３を断熱性天井部材Ｃに据付けると、これらの輻射パネル同士は互いに密着し、隙間は無くなる。そして、Ｙ方向両端に開いた開口は双方とも、蓋体２４で塞がれる。蓋体２４は、輻射パネル２１Ｃ１又は２１Ｃ３の端部と据付け金具１１２との間にはめ込まれる。
【００５１】
第３実施形態に係る輻射式空調装置Ａ３（図１参照）は、第２実施形態に係る輻射式空調装置Ａ２（図５参照）の両端に装着の蓋体２４を外して、その蓋体２４が閉鎖していた開口部に輻射パネル２１Ｃ１と２１Ｃ３を増設したものと見ることができる。すなわち、断熱性天井部材Ｃに平行する２本の直線状の据付け金具１１１を固定して、該据え付け金具１１１を平行な２辺とする矩形形状に囲んだ領域を設定する。更に、これら平行する据付け金具１１１の一端に延設するように、平行する増設用の据付け金具１１１を固定する。このように増設用の据え付け金具１１１を平行な２辺とする矩形形状に囲んだ領域を左記の領域に加えた全領域を上壁面１１Ｃと考えることができる。
【００５２】
そして、第２実施形態に係る輻射式空調装置Ａ２（図５参照）と同様の送風路を形成する、図２（Ａ）における輻射パネル２１Ｃ２に隣接するように、輻射パネル２１Ｃ１又は輻射パネル２１Ｃ３を据付ける。例えば、輻射パネル２１Ｃ１の両端部にそれぞれ形成されている側面２２の上端が、増設用の据付け金具１１１に１つずつ据付けられているようにする。
【００５３】
この施工により、増設用の据付け金具１１１が延びている方向、すなわちＹ方向の両端において、増設された上壁面と輻射パネル２１Ｃ１とが構成する、増設された送風路に同一断面形状の開口部がそれぞれ形成されることとなる。そして、輻射パネル２１Ｃ２が構成する開口と、これに隣接して、輻射パネル２１Ｃ１が構成する開口同士が密閉連結されていることにより、増設拡張された送風路が実現される。同様に、輻射パネル２１Ｃ３も増設することにより、最終的に、増設拡張された送風路Ｄ３が実現される。
【００５４】
図２（Ｂ）は輻射式空調装置Ａ３が据付けられている断熱性天井部材Ｃから輻射パネル２１Ｃ１と輻射パネル２１Ｃ２及び２１Ｃ３を外した状態を上方から見下ろした斜視図である。輻射パネル２１Ｃ１と輻射パネル２１Ｃ３の内側、すなわち、送風路Ｄ３に面した側には、Ｙ方向に延びる仕切り板２７ａと２７ｂが設けられている。
【００５５】
図３（Ａ）に示すように、仕切り板２７ａと２７ｂは、輻射パネル２１Ｃ１と輻射パネル２１Ｃ３の内側に形成される送風路Ｄ３を、送風空間Ｄａ、Ｄｂ及びＤｃの３つに分割する。但し、仕切り板２７ａと２７ｂにはそれぞれ流通口２７ａ１と２７ｂ１が設けられていて、温調空気Ａｉｒ−Ａが行き来できるようになっている。
【００５６】
図３（Ａ）に示すように、輻射パネル２１Ｃ２の中央には室内空気流通管３が貫通している。そして、同パネルの内側、すなわち、送風路Ｄ３に面した側には、室内空気流通管３を挟んでＹ方向に延びる仕切り板２７ｃと２７ｄが設けられている。仕切り板２７ｃと２７ｄ及び室内空気流通管３は、輻射パネル２１Ｃ２の内側に形成される送風路Ｄ３を、送風空間Ｄａ、Ｄｂ及び２つのＤｄに４分割する。
【００５７】
室内空気流通管３に流通口は無く、２つの送風空間ＤｄとＤｄは隔離されている。室内空気流通管３の内側は既に説明したように、居住空間の空気Ａｉｒ−Ｂに接している流通管内壁３１である。一方、仕切り板２７ｃと２７ｄにはそれぞれ流通口２７ｃ１と２７ｄ１が設けられていて、温調空気Ａｉｒ−Ａが行き来できるようになっている〔図３（Ａ)〕。
【００５８】
また、輻射パネル２１Ｃ１と２１Ｃ２及び２１Ｃ３同士が互いに密着することにより、全ての送風空間Ｄａは一体化し、全ての送風空間Ｄｂも一体化する。送風空間ＤｃとＤｄも一体化する。流通口２７ａ１、２７ｂ１、２７ｃ１及び２７ｄ１を通じて、温調空気Ａｉｒ−Ａは全ての送風空間を行き来できることになる。送風路３Ｄは室内空気流通管３の廻りに環状送風路として形成されている。
【００５９】
再び図２（Ａ）と（Ｂ）に戻って説明する。上壁面１１Ｃに設けられている温調空気導入口１２は、輻射パネル２１Ｃ２の送風空間ＤａとＤｂの上壁面に位置する。したがって、エアコンＡＣで作られた温調空気Ａｉｒ−Ａは、温調空気導入口１２を介して、まず、輻射パネル２１Ｃ２の送風空間ＤａとＤｂに導入される。そして、この温調空気Ａｉｒ−Ａは環状の送風路Ｄ３を巡回しながら輻射パネル２１Ｃと熱交換をし、徐々に、放出孔２２１から居住空間へ放出される。
【００６０】
本発明の第１実施形態乃至第３実施形態に係る輻射式空調装置の送風路Ｄ、Ｄ２及びＤ３は、エアコンＡＣからの温調空気Ａｉｒ−Ａを、温調空気導入口１２から導入し、放出孔２２１から居住空間へ放出している。従って、これらの送風路内の圧力を高めすぎないようにするには、温調空気導入口１２から導入される単位時間当たりの送風量以上の放出量を確保できるように、放出孔の開口面積の総和を決定すべきである。すなわち、１つ１つの放出孔の開口面積が大きい場合には、放出孔の総数は少なくすることができる。一方、放出孔の開口面積を小さくする場合には、放出孔の総数を相応に増す必要がある。
【００６１】
本発明の第１実施形態乃至第３実施形態では、輻射パネル２１、２１Ｂ、２１Ｃ１、２１Ｃ２及び２１Ｃ３はアルミニウムの薄板で形成されている〔図４（Ｅ）、図５（Ｃ）（Ｄ）、図３（Ｂ）（Ｃ）（Ｄ）参照〕。そして、内部構造である仕切り板２５ａ、２５ｂ、２６ａ、２６ｂ、２７ａ、２７ｂ、２７ｃ及び２７ｄは輻射パネルを構成するアルミニウム薄板の一部を折り曲げて形成されている。
【００６２】
そして、これら仕切り板には適宜、流通口２５ａ１，２６ａ１，２７ａ１，２７ｄ１等が設けられている。これは、金属性の輻射パネル内側に、同じく金属製の衝立が設けられた構造となっている。このような構造にすることで、送風路Ｄ、Ｄ２又はＤ３を巡回する温調空気Ａｉｒ−Ａが前記衝立に頻繁に当たって乱流を起こし、温調空気Ａｉｒ−Ａと輻射パネルとの間で効率的に熱交換が行われることとなる。
【００６３】
〈小規模居住空間から大規模居住空間までの柔軟な適合性〉
本発明の輻射式空調装置は、以下に説明するように小規模な居住空間から大規模な居住空間まで柔軟に適合できる適合性に優れている。例えば、第１実施形態及び第２実施形態に係る輻射式空調装置は、最小単位の輻射パネルで構成されていて、小規模な居住空間にも設置することができる。特に第２実施形態に係る輻射式空調装置Ａ２は、輻射パネル２１Ｂの上方にエアコンＡＣを設ければ、該エアコンＡＣと居住空間との間の空気を送る管を短くすることができる。
【００６４】
また、第３実施形態に係る輻射式空調装置Ａ３に見られるように、同装置の両端は蓋体２４で塞がれている。この蓋体２４を省いて、その先に輻射パネル２１Ｃ１又は２１Ｃ３を増設すれば、輻射パネルの面積を拡張することができる。このようにして、居住空間の天井面積に応じて小規模な空調装置から大規模な空調装置までを施工することができる。
【００６５】
〈エアコンの吸込み口と吹き出し口のバリエーションへの適合〉
図６は第３実施形態に係る輻射式空調装置Ａ３の輻射パネル２１Ｃ１と、２１Ｃ２及び２１Ｃ３を据付けるべき断熱性天井部材下面を見上げた図である輻射パネルの記載は省略されている。同図（Ａ）は温調空気導入口１２と室内空気吸込み口１３及びこれに適合させた隔壁を示す図である。そして、（Ｂ）は他の形状の温調空気導入口１２Ｂと室内空気吸込み口１３Ｂ及びこれに適合させた隔壁を示す図である。
【００６６】
これまで説明してきた例では、エアコンＡＣの吸込み口である室内空気吸込み口１３と、エアコンＡＣの吹き出し口である温調空気導入口１２は図６（Ａ）に示すものであった。すなわち、断熱性天井部材Ｃの下面には、Ｙ方向に長い略長方形の温調空気導入口１２が平行に設けられている。そして、平行に設けられた２つの温調空気導入口１２の内側には、平行に設けられた２つの室内空気吸込み口１３が設けられている。同図において、温調空気導入口１２及び室内空気吸込み口１３は、断熱性天井部材Ｃの上面に設置されているエアコンＡＣの吹き出し口及び吸込み口とそれぞれ連通している。
【００６７】
ここで、温調空気導入口１２から送風路Ｄ３（図示せず）に導入された温調空気Ａｉｒ−Ａと、室内空気吸込み口１３からエアコンＡＣに吸込まれる居住空間の空気Ａｉｒ−Ｂが混じらないように隔離されることが必要である。そこで、既に説明したように、室内空気流通管３の内壁たる流通管内壁３１と、仕切り板２７ｃ及び２７ｄで成る隔離壁が構成されている。
【００６８】
また、図６（Ｂ）に示すように、エアコンＡＣの吹出し口及び吸込み口の形状に応じて、断熱性天井部材Ｃに温調空気導入口１２Ｂ及び室内空気吸込み口１３Ｂが設けられていることもある。すなわち、中央に略正方形の室内空気吸込み口１３Ｂが設けられている。そして、Ｘ方向に長い温調空気導入口１２Ｂが２つ平行に並んで、前記室内空気吸込み口１３Ｂを両側から挟みこむ形になっている。更に、Ｙ方向に長い温調空気導入口１２Ｂが２つ平行に並んで、前記室内空気吸込み口１３Ｂを両側から挟みこむ形になっている。
【００６９】
ここでは、温調空気導入口１２Ｂから送風路Ｄ３（図示せず）に導入された温調空気Ａｉｒ−Ａと、室内空気吸込み口１３ＢからエアコンＡＣに吸込まれる居住空間の空気Ａｉｒ−Ｂが混じらないように隔離されることが必要である。そこで、室内空気流通管３Ｂの内壁たる流通管内壁３１Ｂと、仕切り板２７ｃ及び２７ｄで成る隔離壁が構成されている。このように、エアコンの吸込み口と吹き出し口のバリエーションへ適合するために、温調空気Ａｉｒ−Ａと居住空間の空気Ａｉｒ−Ｂとを隔離する隔壁は適宜設計されるべきものである。
【００７０】
［第４実施形態］
次に、図７に基づいて、本発明の第４実施形態に係る輻射式空調装置Ａ４の説明をする。金属で構成された輻射パネル２１Ｄは断熱性天井部材Ｃの下面に据付け固定されている。第１乃至第３実施形態と同様に据付け金具１１１及び１１２を使って据付けてもよい。この構成により、輻射式空調装置Ａ４の上壁面１１Ｄ（輻射パネル２１Ｄに隠れて見えない）は断熱部材で構成されていることとなる。輻射式空調装置Ａ４を断熱性の無い天井に据付ける場合には、断熱部材の上面板を上壁面１１Ｄとすればよい。断熱部材の上面板は、例えば、塩化ビニール樹脂を適用することができる。
【００７１】
このような構成の輻射式空調装置Ａ４では、上壁面１１Ｄと輻射パネル２１Ｄが温調空気Ａｉｒ−Ａを送風するための送風路Ｄ４を形成している。ただし図７では、Ｄ４の図示は省略されている。また、輻射パネルＡ４は底面２Ｄ及び側面２２Ｄを構成している。そして、側面２２Ｄには、送風路Ｄ４に導入された温調空気Ａｉｒ−Ａを、送風路Ｄ４の外へ放出するための放出孔２２１Ｄが概ね水平である横向きに設けられている。
【００７２】
また、上壁面１１Ｄと輻射パネル２１ＤはＹ方向両端に同一形状の開口を形成するが、これらの開口は同一形状の蓋体２４Ｄで塞がれている。蓋体２４Ｄにも、温調空気Ａｉｒ−Ａを送風路Ｄ４外に放出する放出孔２４３Ｄを設けてもよい。また、上壁面１１Ｄには、温調空気導入口１２及び室内空気吸込み口１３が設けられている。ただし、温調空気導入口１２は輻射パネル２１Ｄにより隠れていて見えない。断熱性天井部材の上面に設置されているエアコンＡＣ（図示せず）から温調空気導入口１２を経て、温調空気Ａｉｒ−Ａが送風路Ｄ４（図示せず）に導入される。
【００７３】
エアコンＡＣは居住空間のいずれかに吸入口を設けてもよいが、輻射式空調装置Ａ４のように上壁面１１Ｄに室内空気吸込み口１３を設けることができる。この場合は、居住空間の空気Ａｉｒ−Ｂを室内空気吸込み口１３へ流通させるために、上壁面１１Ｄと輻射パネル２１Ｄの間を貫通する室内空気流通管３を設ける必要がある。このような構成にすると、輻射式空調装置Ａ４から離れたいずれかの場所に、エアコンＡＣによる室内空気吸込み口を設ける必要がない。
【００７４】
輻射式空調装置Ａ４の輻射パネル２１Ｄでは、底面２Ｄと側面２２Ｄが滑らかに連続していて境目が無い。しかし、側面２２Ｄに設けられた放出孔２２１Ｄは底面２Ｄよりも高位置にあるため、送風路Ｄ４内で結露が生じても、放出孔２２１Ｄを通じて結露水が居住空間へ落下することが無い。
【符号の説明】
【００７５】
ＡＣ…エアコン、Ａｉｒ−Ａ…温調空気、Ａｉｒ−Ｂ…居住空間の空気、
Ｃ…断熱性天井部材、Ｄ，Ｄ２，Ｄ３，Ｄ４…送風路、
Ｄａ，Ｄｂ，Ｄｃ，Ｄｄ…送風空間、Ａ１，Ａ２，Ａ３，Ａ４…輻射式空調装置、
１１，１１Ｃ，１１Ｄ…上壁面、１１１，１１２…据付け金具、
１２，１２Ｂ…温調空気導入口、１３，１３Ｂ…室内空気吸込み口、２，２Ｄ…底面、
２１，２１Ｂ，２１Ｃ１，２１Ｃ２，２１Ｃ３，２１Ｄ…輻射パネル、
２２，２２Ｄ…側面、２２１，２２１Ｄ…放出孔、２２２…据付けボルト、
２３…珪藻土部材、２４…蓋体、２４１ａ，２４１ｂ…蓋サイドパーツ、
２４２…蓋センターパーツ、２４３，２４３Ｄ…放出孔、
２５ａ，２５ｂ，２６ａ，２６ｂ，２７ａ，２７ｂ，２７ｃ，２７ｄ…仕切り板、
２５ａ１，２５ｂ１，２６ａ１，２６ｂ１…流通口、
２７ａ１，２７ｂ１，２７ｃ１，２７ｄ１…流通口、
３…室内空気流通管、３１…流通管内壁、３２…流通管蓋。
【図１】
2018136041.tif 000003
【図２】
2018136041.tif 000004
【図３】
2018136041.tif 000005
【図４】
2018136041.tif 000006
【図５】
2018136041.tif 000007
【図６】
2018136041.tif 000008
【図７】
2018136041.tif 000009